【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
物理上りリンク共用チャネルの送信に関連する復調用参照信号であって、復調用参照信号系列がサイクリックシフトに関する第１の値を用いて与えられる前記復調用参照信号を、基地局装置に送信する送信部を備え、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
端末装置。
【請求項２】
前記ランダムアクセスレスポンスグラントに対応する前記物理上りリンク共用チャネルの送信は、ランダムアクセスプロシージャにおけるメッセージ３の送信である、請求項１に記載の端末装置。
【請求項３】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項１に記載の端末装置。
【請求項４】
前記ランダムアクセスプロシージャにおける前記トランスポートブロックの再送信は、Ｔｅｍｐｏｒａｒｙ  Ｃ−ＲＮＴＩによってスクランブルされたＣＲＣパリティビットが付加された下りリンク制御情報を用いて指示される、請求項３に記載の端末装置。
【請求項５】
前記送信部は、物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記基地局装置に送信し、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていない場合には、前記第２のパラメータの値は、前記物理レイヤセルアイデンティティを用いて与えられる、
請求項１に記載の端末装置。
【請求項６】
物理上りリンク共用チャネルの送信に関連する復調用参照信号であって、復調用参照信号系列がサイクリックシフトに関する第１の値を用いて与えられる前記復調用参照信号を、端末装置から受信する受信部を備え、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
基地局装置。
【請求項７】
前記ランダムアクセスレスポンスグラントに対応する前記物理上りリンク共用チャネルの送信は、ランダムアクセスプロシージャにおけるメッセージ３の送信である、請求項６に記載の基地局装置。
【請求項８】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項６に記載の基地局装置。
【請求項９】
前記ランダムアクセスプロシージャにおける前記トランスポートブロックの再送信は、Ｔｅｍｐｏｒａｒｙ  Ｃ−ＲＮＴＩによってスクランブルされたＣＲＣパリティビットが付加された下りリンク制御情報を用いて指示される、請求項８に記載の基地局装置。
【請求項１０】
前記受信部は、物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記端末装置から受信し、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていない場合には、前記第２のパラメータの値は、前記物理レイヤセルアイデンティティを用いて与えられる、
請求項６に記載の基地局装置。
【請求項１１】
端末装置における通信方法であって、
物理上りリンク共用チャネルの送信に関連する復調用参照信号であって、復調用参照信号系列がサイクリックシフトに関する第１の値を用いて与えられる前記復調用参照信号を、基地局装置に送信する第１の過程を有し、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
通信方法。
【請求項１２】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項１１に記載の通信方法。
【請求項１３】
物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記基地局装置に送信する第２の過程を有し、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていない場合には、前記第２のパラメータの値は、前記物理レイヤセルアイデンティティを用いて与えられる、
請求項１１に記載の通信方法。
【請求項１４】
基地局装置における通信方法であって、
物理上りリンク共用チャネルの送信に関連する復調用参照信号であって、復調用参照信号系列がサイクリックシフトに関する第１の値を用いて与えられる前記復調用参照信号を、端末装置から受信する第１の過程を有し、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
通信方法。
【請求項１５】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項１４に記載の通信方法。
【請求項１６】
物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記端末装置から受信する第２の過程を有し、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていない場合には、前記第２のパラメータの値は、前記物理レイヤセルアイデンティティを用いて与えられる、
請求項１４に記載の通信方法。
【請求項１７】
端末装置に実装可能な集積回路であって、前記端末装置に、
物理上りリンク共用チャネルの送信に関連する復調用参照信号であって、復調用参照信号系列がサイクリックシフトに関する第１の値を用いて与えられる前記復調用参照信号を、基地局装置に送信する第１の過程
を実行させ、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
集積回路。
【請求項１８】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項１７に記載の集積回路。
【請求項１９】
前記端末装置に、
物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記基地局装置に送信する第２の過程
を実行させ、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていない場合には、前記第２のパラメータの値は、前記物理レイヤセルアイデンティティを用いて与えられる、
請求項１７に記載の集積回路。
【請求項２０】
基地局装置に実装可能な集積回路であって、前記基地局装置に、
物理上りリンク共用チャネルの送信に関連する復調用参照信号であって、復調用参照信号系列がサイクリックシフトに関する第１の値を用いて与えられる前記復調用参照信号を、端末装置から受信する第１の過程
を実行させ、
前記サイクリックシフトに関する第１の値は、第１のパラメータを用いて与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報に対応する場合には、前記第１のパラメータの値は、前記第１の情報の値を用いて与えられ、
前記第１の情報の値が前記上位層によって設定されていない場合には、前記第１のパラメータの値は、物理レイヤセルアイデンティティを用いて与えられ、
前記物理上りリンク共用チャネルの送信がランダムアクセスレスポンスグラントに対応する場合には、前記第１のパラメータの値は、前記物理レイヤセルアイデンティティを用いて与えられる、
集積回路。
【請求項２１】
前記物理上りリンク共用チャネルの送信が、ランダムアクセスプロシージャにおけるトランスポートブロックの再送信に対応する場合には、前記第１のパラメータの値は、前記物理レイヤセルアイデンティティを用いて与えられる、請求項２０に記載の集積回路。
【請求項２２】
前記基地局装置に、
物理上りリンク制御チャネルの送信に関連する復調用参照信号であって、復調用参照信号系列がサイクリックシフトに関する第２の値を用いて与えられる、前記物理上りリンク制御チャネルの送信に関連する復調用参照信号を、前記端末装置から受信する第２の過程
を実行させ、
前記サイクリックシフトに関する第２の値は、第２のパラメータを用いて与えられ、
前記上位層によって第２の情報の値が設定されている場合には、前記第２のパラメータの値は、前記第２の情報の値を用いて与えられ、
前記上位層によって第２の情報の値が設定されていないときは、前記第２のパラメータの値は、前記物理レイヤセルアイデンティティを用いて与えられる、
請求項２０に記載の集積回路。
【手続補正２】
【補正対象書類名】明細書
【補正対象項目名】発明の名称
【補正方法】変更
【補正の内容】
【発明の名称】端末装置、基地局装置、通信方法および集積回路
【手続補正３】
【補正対象書類名】明細書
【補正対象項目名】０００１
【補正方法】変更
【補正の内容】
【０００１】
本発明は、端末装置、基地局装置、通信方法および集積回路に関する。
【手続補正４】
【補正対象書類名】明細書
【補正対象項目名】０００７
【補正方法】変更
【補正の内容】
【０００７】
本発明は、上記問題を鑑みてなされたものであり、その目的は、基地局と端末が、上りリンク信号または上りリンク参照信号に関するパラメータを決定し、効率的に通信することができる端末装置、基地局装置、通信方法および集積回路を提供する。